(57)【要約】本発明は、種々のノズルを取付けずに同一の放出／濯ぎガン（１００）により希釈物質を放出すべくホース部材（２０９および２１０）を用いる放出／濯ぎガン（１００）に関する。ガン（１００）に対して作用的に接続されたセレクタ（１５６）によればガン（１００）は、セレクタ（１５６）を適切な押しボタン・バルブ（１５４）まで回転して所望の物質もしくは水を制御することにより希釈物質もしくは水を放出し得ると共に、セレクタ（１５６）は片手で操作され得る。トリガ（１０３）は、放出／濯ぎガン（１００）が水濯ぎモードで用いられるときに使用される噴射の形式を制御する。
2004503362.tif 000002
【特許請求の範囲】
【請求項１】
給水源から受けた水を放出し且つ上記給水源から受けた水により当該放出ガン内で希釈された物質を放出する放出ガンであって、
ａ．第１チャネルおよび第２チャネルを含むホース部材と、
ｂ．ハンドルを含む放出ガンであって、当該ガンは、水取入口と、水吐出口と、上記ホース部材の上記第１チャネルに作用的に接続されたホース受容部材とを含み、上記第１チャネルは上記水取入口と流体連通し、当該ガンは上記ホース部材の上記第１チャネルを介して給水を受ける、放出ガンと、
ｃ．上記ホース部材の上記第２チャネルに作用的に接続されると共に上記水吐出口に流体連通され且つ吐出口を有するアスピレータと、
ｄ．上記ホース部材の上記第２チャネルを介して上記ガンに物質を供給する物質供給源であって、上記アスピレータは上記水吐出口からの水により希釈された物質の使用溶液を生成し、該使用溶液は上記アスピレータの上記吐出口から出射する、物質供給源と、
ｅ．上記水吐出口に作用的に接続されて該水吐出口からの水を放出する第１ノズルと、
ｆ．上記水吐出口および上記第１ノズルに流体連通された第１バルブならびに上記水吐出口および上記アスピレータに流体連通された第２バルブであって、当該第１バルブは上記第１チャネルを通る水の流れを制御し且つ当該第２バルブは上記第１チャネルを介して上記アスピレータを通る水の流れを制御し、当該第１バルブは上記水吐出口からの水が上記第１ノズルを介して流れるのを許容し、且つ、当該第２バルブは上記水吐出口から上記アスピレータに水が流入するのを許容すると共に該アスピレータ内で生成された上記使用溶液が該アスピレータの上記吐出口を介して流れるのを許容する、第１バルブおよび第２バルブと、
を備えた放出ガン。
【請求項２】
当該放出ガンに対するホルダと、物質容器とを収容するカートを更に備えて成る、請求項１記載の放出ガン。
【請求項３】
当該放出ガンは前記カートの車輪を更に備え、
上記カートは所望箇所へと転動され得る、請求項２記載の放出ガン。
【請求項４】
前記ホース部材は水および所定物質を同時に移送し得る押出成形ホースである、請求項１記載の放出ガン。
【請求項５】
当該放出ガンはトリガを更に備え、
上記トリガは当該放出ガンの前記第１ノズルから水が噴射される様式を制御かつ調節する、請求項１記載の放出ガン。
【請求項６】
当該放出ガンは前記第１バルブおよび前記第２バルブの近傍にて当該放出ガンに作用的に接続されたセレクタを更に備え、該セレクタは上記第１バルブと上記第２バルブとの間の切換えを行うことで当該放出ガンを介した水流および使用溶液流を制御する、
請求項１記載の放出ガン。
【請求項７】
前記ホース部材の第３チャネルと、
上記ホース部材の上記第３チャネルと作用的に接続されると共に前記水吐出口と流体連通する第２アスピレータであって吐出口を有する第２アスピレータと、
上記ホース部材の上記第３チャネルを介して当該放出ガンに第２物質を供給する第２物質供給源であって、上記第２アスピレータは上記水吐出口からの水により希釈された第２物質の使用溶液を生成する、第２物質供給源と、
上記水吐出口および上記第２アスピレータを相互接続することで、前記第１チャネルを介した水および上記第３チャネルを介した物質を制御する第３バルブであって、上記使用溶液は上記第２アスピレータの上記吐出口から放出され、当該第３バルブは水が上記水吐出口から上記第２アスピレータに流入するのを許容すると共に該アスピレータ内で生成された上記使用溶液が該第２アスピレータの上記吐出口を介して流れるのを許容する、第３バルブと、
を更に備えて成る、請求項１記載の放出ガン。
【請求項８】
希釈用液体と、希釈用液体により希釈された原液とを放出する装置であって、
ａ．取入口と吐出口とを含む放出器と、
ｂ．第１チャネルと第２チャネルとを含むホース部材であって、上記第１チャネルは上記取入口に対して希釈用液体供給源を相互接続し、希釈用液体は上記希釈用液体供給源から上記取入口に流入して上記吐出口から流出する、ホース部材と、
ｃ．上記第２チャネルを介して上記吐出口に作用的に接続されたアスピレータであって、希釈用液体取入口、原液取入口および希薄溶液吐出口を有するアスピレータと、
ｄ．希釈用液体の供給源から上記希釈用液体取入口への希釈用液体の流れを制御すべく上記アスピレータに作用的に接続された制御デバイスと、
ｅ．上記吐出口に作用的に接続されて該吐出口からの希釈用液体を放出するノズルと、
ｆ．上記ノズルを通る希釈用液体の流れを制御すべく上記吐出口および上記ノズルと流体連通する第１バルブと、
ｇ．上記希薄溶液吐出口を通る希薄溶液の流れを制御すべく上記吐出口および上記アスピレータと流体連通する第２バルブと、
を備える装置。
【請求項９】
前記ガンに対するホルダと物質容器とを含むカートを更に備えて成る、請求項８記載の装置。
【請求項１０】
当該装置は前記カートの車輪を更に備え、
上記カートは所望箇所へと転動され得る、請求項９記載の装置。
【請求項１１】
前記ホース部材は希釈用液体および原液を移送し得る押出成形ホースである、請求項８記載の装置。
【請求項１２】
当該装置はトリガを更に備え、
上記トリガは前記放出ガンの前記ノズルから希釈用液体が噴射される様式を制御かつ調節する、請求項８記載の装置。
【請求項１３】
前記ホース部材の第３チャネルと、
上記ホース部材の上記第３チャネルと作用的に接続されると共に前記吐出口と流体連通する第２アスピレータであって希薄溶液吐出口を有する第２アスピレータと、
上記ホース部材の上記第３チャネルに接続された第２原液であって、上記第２アスピレータは上記吐出口からの希釈用液体により希釈された第２原液の使用溶液を生成する、第２原液と、
前記第１チャネルを介した希釈用液体と上記第３チャネルを介した原液との流れを制御すべく上記吐出口および上記第２アスピレータと流体連通する第３バルブであって、当該第３バルブは希釈用液体が上記吐出口から上記第２アスピレータに流入するのを許容すると共に該アスピレータ内で生成された上記希薄溶液が上記希薄溶液吐出口を介して流れるのを許容する、第３バルブと、
を更に備えて成る、請求項８記載の装置。
【請求項１４】
給水源から受けた水を放出し且つ上記給水源から受けた水により当該放出ガン内で希釈された物質を放出する放出ガンであって、
ａ．第１チャネルを含むホース部材と、
ｂ．ハンドルを含む放出ガンであって、当該ガンは、水取入口と、水吐出口と、上記ホース部材の上記第１チャネルに作用的に接続されたホース受容部材とを含み、上記第１チャネルは上記水取入口と流体連通し、上記ガンは上記ホース部材の上記第１チャネルを介して給水を受ける、放出ガンと、
ｃ．上記水吐出口に流体連通されると共に吐出口を有するアスピレータと、
ｄ．上記アスピレータと流体連通する物質供給源であって、上記アスピレータは上記水吐出口からの水により希釈された物質の使用溶液を生成し、該使用溶液は上記アスピレータの上記吐出口から出射する、物質供給源と、
ｅ．上記水吐出口に作用的に接続されて該水吐出口からの水を放出する第１ノズルと、
ｆ．上記水吐出口および上記第１ノズルに流体連通された第１バルブならびに上記水吐出口および上記アスピレータに流体連通された第２バルブであって、当該第１バルブは上記第１チャネルを通る水の流れを制御し且つ当該第２バルブは上記第１チャネルを介して上記アスピレータを通る水の流れを制御し、当該第１バルブは上記水吐出口からの水が上記第１ノズルを介して流れるのを許容し、且つ、当該第２バルブは上記水吐出口から上記アスピレータに水が流入するのを許容すると共に該アスピレータ内で生成された上記使用溶液が該アスピレータの上記吐出口を介して流れるのを許容する、第１バルブおよび第２バルブと、
を備えた放出ガン。
【請求項１５】
前記ホース部材は前記物質供給源を前記アスピレータと流体連通させる第２チャネルを有する、請求項１４記載の放出ガン。
【請求項１６】
当該放出ガンは、第２アスピレータと流体連通する第３バルブおよび第２物質供給源を更に備え、
上記第２アスピレータは前記水吐出口と流体連通すると共に吐出口を有し、
上記第２アスピレータは、上記水吐出口からの水により希釈された上記第２物質供給源の使用溶液を生成し、
上記第３バルブは、前記第１チャネルを通る水と、第２物質とを制御すべく上記水吐出口および上記第２アスピレータを相互接続し、
上記使用溶液は上記第２アスピレータの上記吐出口から放出され、
上記第３バルブは水が上記水吐出口から上記第２アスピレータに流入するのを許容すると共に該アスピレータ内で生成された上記使用溶液が上記第２アスピレータの上記吐出口を介して流れるのを許容する、
請求項１４記載の放出ガン。
【発明の詳細な説明】
【０００１】
発明の背景
１．発明の分野
本発明は、希釈用液体および原液と共に用いられる放出／濯ぎガン（ｄｉｓｐｅｎｓｉｎｇ　ａｎｄ　ｒｉｎｓｉｎｇ　ｇｕｎ）に関する。
【０００２】
２．先行技術の説明
放出／濯ぎガンは一般的に、食品サービス業で用いられると共に、加工装置、床部、壁部および作業台面などの用具を洗浄し、濯ぎ且つ殺菌するために用いられる。
【０００３】
殆どの放出／濯ぎガンは、物質の送給／停止が遠隔ステーションにて切換えられることを要すると共に、希釈用液体／原液は吐出用ホースを介して移動することを必要とする。壁部に取付けられ又は遠隔的に取付けられた従来のデバイスでは、第２物質への切換え時に吐出用ホースが他の物質により汚染されないことを確実にすべく、第１物質を一掃するために時間遅延が必要とされる。また、これらのデバイスに依れば、当該デバイスの移動性を高めるべく、装置に対しては付加的な吐出用ホースが取付けられ得る。しかし吐出用ホースが長くなると当該デバイスの背圧は大きくなり、放出機能が低下したり損なわれたりする。また従来の一定のデバイスは水のみの放出モードに対する濯ぎモードを提供せず、水および物質リザーバにおける電気ポンプをトリガする電流を要することもある。
【０００４】
また単一の放出ホースを用いる従来のデバイスは、種々の物質に対して２個もしくは３個の異なる放出ノズルを必要とする。これらのノズルは扇状噴射および発泡作用を提供すると共に、濯ぎ操作の間において流れを調整する方法も提供する。これらのデバイスによると、ノズルを失くしたり特定物質に対して誤ったノズルを用いる可能性がある。
【０００５】
本発明によれば、異なる放出モードを用いる前に吐出用ホースを浄化せずに電流なしで、ひとつのガンから水および所定物質が放出され得る。このガンは、遠隔箇所では無く該ガン自体から作動開始かつ作動停止され得る。
【０００６】
発明の概要
給水源から受けた水を放出すると共に上記給水源から受けた水により当該放出ガン内で希釈された物質を放出する好適実施例の放出ガンは、ハンドル、水取入口、水吐出口およびホース受容部材を含む。ホース部材は第１チャネルおよび第２チャネルを含む。上記ホース受容部材はホース部材の第１チャネルに作用的に接続され、且つ、上記第１チャネルは上記水取入口と流体連通する。上記ホース部材の上記第２チャネルに対してはアスピレータが作用的に接続され、該アスピレータは上記水吐出口と流体連通する。該アスピレータは吐出口を含む。上記ガンに対して給水源は上記ホース部材の上記第１チャネルを介して水を供給すると共に、上記ガンに対して物質供給源は上記ホース部材の上記第２チャネルを介して物質を供給し、上記アスピレータは上記水吐出口からの水により希釈された物質の使用溶液を生成する。上記使用溶液は、上記アスピレータの上記吐出口から出射する。上記水吐出口に対しては、該水吐出口からの水を放出すべくノズルが作用的に接続される。上記水吐出口および上記ノズルに対しては第１バルブが流体連通し、且つ、上記水吐出口および上記アスピレータに対しては第２バルブが流体連通する。上記第１バルブは上記第１チャネルを通る水の流れを制御し、且つ、上記第２バルブは上記第１チャネルを介して上記アスピレータを通る水の流れを制御する。上記第１バルブは上記水吐出口からの水が上記ノズルを介して流れるのを許容し、且つ、上記第２バルブは上記水吐出口から上記アスピレータに水が流入するのを許容すると共に該アスピレータ内で生成された上記使用溶液が該アスピレータの上記吐出口を介して流れるのを許容する。
【０００７】
別の好適実施例において、希釈用液体と、希釈用液体により希釈された原液とを放出する装置は、取入口および吐出口を有する放出器を含む。ホース部材は、第１チャネルおよび第２チャネルを含む。上記第１チャネルは上記取入口に対して希釈用液体供給源を相互接続し、希釈用液体は上記希釈用液体供給源から上記取入口に流入して上記吐出口から流出する。上記第２チャネルを介した上記吐出口に対してはアスピレータが作用的に接続される。上記アスピレータは、希釈用液体取入口、原液取入口および希薄溶液吐出口を含む。上記アスピレータに作用的に接続された制御デバイスは、上記希釈用液体取入口に対する希釈用液体供給源からの希釈用液体の流れを制御する。上記吐出口からの希釈用液体を放出すべく該吐出口に対してはノズルが作用的に接続される。上記吐出口および上記ノズルに対しては第１バルブが流体連通し、該第１バルブは上記ノズルからの希釈用液体の流出を制御する。上記吐出口および上記アスピレータに対しては第２バルブが流体連通し、該第２バルブは上記希薄溶液吐出口からの希薄溶液の流出を制御する。
【０００８】
給水源から受けた水を放出し且つ上記給水源から受けた水により当該放出ガン内で希釈された物質を放出する別の好適実施例の放出ガンにおいて、該放出ガンはハンドルと、水取入口と、水吐出口と、ホース部材の第１チャネルに作用的に接続されたホース受容部材とを含む。上記ホース部材の上記第１チャネルは上記水取入口と流体連通する。上記水吐出口に対してはアスピレータが流体連通し、該アスピレータは吐出口を含む。上記放出ガンに対しては上記ホース部材の上記第１チャネルを介して、給水源が水を供給する。上記アスピレータに対しては物質供給源が流体連通し、上記アスピレータは上記水吐出口からの水により希釈された物質の使用溶液を生成し、且つ、該使用溶液は上記アスピレータの上記吐出口から出射する。上記水吐出口からの水を放出すべく該水吐出口には第１ノズルが作用的に接続され、上記水吐出口および上記第１ノズルに対しては第１バルブが流体連通され、且つ、上記水吐出口および上記アスピレータに対しては第２バルブが流体連通される。上記第１バルブは上記第１チャネルを通る水の流れを制御し、且つ、上記第２バルブは上記第１チャネルを介して上記アスピレータを通る水の流れを制御する。上記第１バルブは上記水吐出口からの水が上記第１ノズルを介して流出するのを許容し、且つ、上記第２バルブは上記水吐出口から上記アスピレータに水が流入するのを許容すると共に該アスピレータ内で生成された上記使用溶液が該アスピレータの上記吐出口を介して流れるのを許容する。
【０００９】
好適実施例の詳細な説明
本発明の原理に従い構築された好適実施例の放出／濯ぎガンは、図１乃至図６および図８において番号１００で表される。
図１および図２は夫々前後から見た放出／濯ぎガン１００の分解斜視図であり、放出／濯ぎガン１００を形成すべく種々の構成要素が構築かつ配置される様式を示している。図３乃至図５は、種々の構成要素が相互に対して装着される様式の図示を更に助力すべく放出／濯ぎガン１００を示している。最初に、これらの構成要素が相互接続される様式を記述し、次に、水もしくは希釈用液体が各構成要素を流れる様式を記述する。
【００１０】
放出／濯ぎガン１００の各構成要素を収容すべく、ハウジング・ユニット１６７が構築かつ配置される。ハウジング・ユニット１６７は、第１管１６９、第２管１７０および第３管１７１を含む。好適実施例において、第１管１６９は第１キャビティ１７２を介して殺菌噴射剤を放出すべく用いられ、第２管１７０は第２キャビティ１７３を介して水を放出すべく用いられ、且つ、第３管１７１は第３キャビティ１７４を介して発泡脱脂剤（ｆｏａｍ　ｄｅｇｒｅａｓｅｒ）を放出すべく用いられる。第１管１６９の端部にて、該第１管は物質を扇状噴射で放出する噴射ノズル１９５を含む。第２管１７０の端部にて、該第２管１７０は種々の噴射で水を放出するピストル１１７を含む。第３管１７１の端部にて該第３管は、噴射ノズル１９４と、発泡物質を放出すべく網体（ｓｃｒｅｅｎ）２１３を収容する開孔１８０を有する発泡部材１７９とを含む。噴射ノズル１９４および１９５は、当業界で公知のタイプである。好適実施例において、発泡脱脂剤と共に用いられる噴射ノズル１９４は噴射システム型式番号Ｈ１／４ＤＵ８０７０であり、且つ、殺菌噴射剤と共に用いられる噴射ノズル１９５は噴射システム型式番号Ｈ１／４Ｕ１５５０である。第１管１６９および第３管１７１は同一平面に沿って整列され、且つ、第２管１７０は第１管１６９および第３管１７１の間に位置されると共に該平面の僅かに上方で第２管自身の各側部にてこれらの管と接触する。第２管１７０の後部および中央部の近傍には、該第２管１７０の一側から延在して該一側に作用的に接続された第１壁部１８１ａと、該第２管１７０の他側から延在して該他側に作用的に接続された第２壁部１８１ｂとが在る。壁部１８１ａおよび１８１ｂは、管１６９、１７０および１７１間における部分的仕切部材として機能する。第１壁部１８１ａは、第２管１７０の中央部の近傍となる端部の近くで該第１壁部１８１ａの頂部の近傍に開孔１０５ａを含む。第２壁部１８１ｂは、第２管１７０の中央部の近傍となる端部の近くで該第２壁部１８１ｂの頂部の近傍に開孔１０５ｂを含む。壁部１８１ａおよび１８１ｂの各内面に隣接してこれらの内面の近傍にて第２管１７０には、トリガ１０３の第１分岐部１２１ａおよび第２分岐部１２１ｂを受け入れるべく構築かつ配置されたスロット１１２ａおよび１１２ｂが在る。第１分岐部１２１ａおよび第２分岐部１２１ｂは、該分岐部１２１ａおよび１２１ｂの近傍に前面１８９を有するグリップから延在する。グリップ１４６は、ユーザが指でトリガ１０３を把持するのを助力すべく輪郭形成された表面を有する。この輪郭形成表面によれば、使用中にユーザの手からトリガ１０３が滑り落ちるのが防止されると共に、トリガ１０３の使用中における快適さも促進される。
【００１１】
第１分岐部１２１ａおよび第２分岐部１２１ｂは、該分岐部１２１ａおよび１２１ｂの前部とグリップ１４６の前面１８９とを相互接続する前縁部１８８ａおよび１８８ｂを夫々含む。丸形頂部１９２ａおよび１９２ｂが前縁部１８８ａおよび１８８ｂと後縁部１０６ａおよび１０６ｂとを相互接続し、次に傾斜端部１０６ｃおよび１０６ｄが後縁部１０６ａおよび１０６ｂとグリップ１４６の後部とを相互接続する。トリガ１０３は、第１分岐部１２１ａの頂部の近傍の開孔１０４ａと、第２分岐部１２１ｂの頂部の近傍の開孔１０４ｂとを含む。トリガ１０３の開孔１０４ａおよび１０４ｂは、分岐部１２１ａおよび１２１ｂが夫々スロット１１２ａおよび１１２ｂを貫通して挿入されたときに壁部１８１ａおよび１８１ｂの開孔１０５ａおよび１０５ｂと整列すべく構築かつ配置される。トリガ１０３は業界公知の締着部材を挿入することでハウジング・ユニット１６７に締着され得ると共に、開孔１０５ａおよび１０５ｂはトリガ１０３がハンドル１０１に向けて引張移動されたときに該トリガに対する枢動点の役割を果たす。好適実施例において、トリガ１０３はボルト２１４ａおよびナット２１４ｂによりハウジング・ユニット１６７に締着される。
【００１２】
ハウジング・ユニット１６７の後端部の近傍にて突起棚部１６８は湾曲構造であると共に、該突起棚部１６８は、アスピレータ１４８ａおよび１４８ｂならびにピストル・ノズル１１３の丸形状を収容する湾曲様式で構築かつ配置された複数の支持部材を含む。第１支持部材１７５は第１管１６９の頂部と整列し、第２支持部材１７６は第２管１７０の頂部と整列し、第３支持部材１７７は第２管１７０の底部と整列し、且つ、第４支持部材１７８は第３管１７１の頂部と整列する。第１支持部材１７５は第１管１６９の第１キャビティ１７２内に挿入された構成要素に対する支持部を提供し、第２支持部材１７６および第３支持部材１７７は第２管１７０の第２キャビティ１７３に挿入された構成要素に対する支持部を提供し、且つ、第４支持部材１７８は第３管１７１の第３キャビティ１７４に挿入された構成要素に対する支持部を提供する。第１支持部材１７５と第２支持部材１７５との間にはボア１９８を有する管１９６が在り、且つ、第２支持部材１７５と第４支持部材１７８との間には、ネジなどの締着部材により他の構成要素に対してハウジング・ユニット１６７を固定するためのボア１９９を有する管１９７が在る。但し、ハウジング・ユニット１６７を締着すべく業界公知の他の締着手段が用いられ得ることは理解される。第３支持部材１７７の下方には、水吐出口１８６を含む第１３管１８３が在る。第１３管１８３の一側には第１２ボア１８５を含む第１２管１８２が在り、且つ、第１３管１８３の他側には第１４ボア１８７を含む第１４管１８４が在る。第１２管１８２および第１４管１８４もまた、業界公知の締着部材によりハウジング・ユニット１６７を他の構成要素に固定する。
【００１３】
ハンドル１０１は、グリップ１６６と、水取入口１０２ａおよび物質取入口１０２ｂを有するホース受容部材１０２とを含む。好適実施例においては、ホース部材を汚さずに水および所定物質を同時に移送すべく、３路式押出成形ホースが利用される。上記ホース部材の第１チャネルは水もしくは希釈用液体に対して用いられ、該ホース部材の第２チャネルは物質もしくは原液に対して用いられ、且つ、該ホース部材の第３チャネルは別の物質もしくは原液に対して用いられる。故に上記第１チャネルは水取入口１０２ａと流体連通し、且つ、上記第２チャネルおよび第３チャネルは物質取入口１０２ｂを貫通延在することでアスピレータ１４８ａおよび１４８ｂの物質取入ポート１４９ａおよび１４９ｂに対して夫々作用的に接続される。水取入口１０２ａは、水吐出口１８６と流体連通する。好適実施例の水取入口１０２ａは、ホース部材２１０の第１チャネル２１０ａの螺条形成端部を該水取入口に確実に接続すべく、螺条形成内面およびリング２１５を含む。
【００１４】
ハウジング１２２は、ガン１００の別の構成要素である。ハウジング１２２は、長手ボアが内部に形成された複数の管部材を含む。すなわち、第１キャビティ１７２を有する第１管１６９、第２キャビティ１７３を有する第２管１７０および第３キャビティ１７４を有する第３管１７１と流体連通すべく、第１ボア１２６を有する第１管１２３、第２ボア１２７を有する第２管１２４および第３ボア１２８を有する第３管１２５が構築かつ配置される。ハウジング・ユニット１６７の各構成要素と連通する各端部の逆側にて管１２３、１２４および１２５に対しては、第４ボア１３２を有する第４管１２９、第５ボア１３３を有する第５管１３０、および、第６ボア１３４を有する第６管１３１が直交し、これらの管１２３、１２４および１２５と流体連通される。管１９６および１９７に対してはボア１４０および１４１を夫々有する管１３５および１３６が整列されることで、ハウジング１２２をハウジング・ユニット１６７に締着する。ボア１４０および１９８を貫通してネジ１９０ｃが挿入され、ボア１４１および１９９を貫通してネジ１９０ｄが挿入される。第２管１２４の下方には、第１３管１８３すなわち水吐出口と流体連通する第１０ボア１４３を有する第１０管１３８が在る。第１０管１３８からの漏水は、Ｏ−リング２１８が防止する。第１０管１３８は管１２３、１２４および１２５に対する水の流入を許容し、第１０管１３８の逆側にはネジ孔１４５を有する管１９３が在る。管１３７および１３９は管１８２および１８３と整列することで、ハウジング１２２をハウジング・ユニット１６７に締着する。ネジ１９０ａはボア１４２および１８５を貫通して挿入されると共に、ネジ１９０ｂはボア１４４および１８７を貫通して挿入される。第１０管１３８の一側には第９ボア１４２を有する第９管１３７が在ると共に、第１０管１３８の逆側には第１１ボア１４４を有する第１１管１３９が在る。管１３７および１３９は、ハウジング・ユニット１６７に対してハウジング１２２を締着する手段も提供する。
【００１５】
バルブ１５４ａ、１５４ｂおよび１５４ｃは、押しボタン１５５ａ、１５５ｂおよび１５５ｃを含むと共に、業界公知の押しボタン・バルブである。押しボタン・バルブの他にも業界公知の他のバルブ配置機構が用いられ得ることも理解される。用いられ得る斯かるバルブ配置機構のひとつは、スライド弁である。好適実施例においては、クエスト・エンジニアリング（Ｑｕｅｓｔ　Ｅｎｇｉｎｅｅｒｉｎｇ）の型式番号Ｐ４００Ｋ−５９１バルブが用いられる。バルブ１５４ａ、１５４ｂおよび１５４ｃからの漏水は夫々、Ｏ−リング２１７ａ、２１７ｂおよび２１７ｃが防止する。選択されたバルブの押しボタンが押圧されたとき、該バルブの開口が露出されて該開口を通り水が流れ得る。バルブ１５４ａ、１５４ｂおよび１５４ｃは、ガン１００が使用されるときに物質選択に対して用いられる。バルブ１５４ａは第４ボア１３２内に挿入され、バルブ１５４ｂは第５ボア１３３内に挿入され且つバルブ１５４ｃは第６ボア１３４に挿入されることで、被選択ボアを水が流れるか否かが制御される。
【００１６】
当業界で一般的に知られるアスピレータ１４８ａおよび１４８ｂは第１ボア１２６および第３ボア１２８に対して夫々挿入され、且つ、当業界で一般的に知られる第１セグメント１０７および第２セグメント１１４を含むピストル・ノズル１１３は第２ボア１２７に挿入される。アスピレータ１４８ａおよび１４８ｂは、第１管１２３および第３管１２５に対して夫々流体連通するボア１５１ａおよび１５１ｂを有する第１端部１５０ａおよび１５０ｂを含む。上記ホース部材の第１チャネルに対しては取入ポート１４９ａが接続されると共に第３チャネルには取入ポート１４９ｂが接続されることで、アスピレータ１４８ａおよび１４８ｂに対して物質が提供される。アスピレータ１４８ａおよび１４８ｂの逆側端部には、リング１５２ａおよび１５２ｂならびにボア１５３ａおよび１５３ｂが在る。ボア１５３ａは第３管１７１と流体連通すると共に、ボア１５３ｂは第１管１６９と流体連通する。故に、アスピレータ１４８ａは第１キャビティ１７２と流体連通すると共に、アスピレータ１４８ｂは第３キャビティ１７４と流体連通する。
【００１７】
ピストル・ノズル１１３は当業界で公知であると共に、第１セグメント１０７および第２セグメント１１４を含む。第１セグメント１０７は水供給管であり、第２セグメント１１４は制御管である。第１セグメント１０７は、該第１セグメント１０７を貫通延伸するボア１１０を有する端部１４７を含むと共に、第２管１２４と流体連通する。端部１４７とシャフト１０８との間には六角形状部１１１が在る。シャフト１０８の近傍の逆側端部にはリング１０９が在る。故に、ピストル・ノズル１１３は第２キャビティ１７３と流体連通する。第２セグメント１１４はシャフト１１５を含み、該シャフト１１５は、一端にてはボア１１９を有する端部１１８に接続され且つ逆側端部にてはピストル１１７に接続される。シャフト１１５とピストル１１７との間には、リング１１６ａおよび１１６ｂが在る。ピストル１１７は、リング１１６ａの近傍の開口１１７ａと、該ピストル１１７の端部におけるピン１２０とを含む。リング１０９の近傍の第１セグメント１０７の端部は、第２セグメント１１４の端部１１８の内側ボア１１９に嵌合すべく構築かつ配置される。
【００１８】
バルブ１５４ｂが開成されたときに水は、該バルブ１５４ｂを介し、第１セグメント１０７を介し、且つ、第２セグメント１１４を介して流れる。第１セグメント１０７と第２セグメント１１４との間には、漏水を防止すべくＯ−リング・シール２１９が在る。水は第２セグメント１１４を通り該第２セグメント１１４の端部における孔を介して第２管１７０に流入し、且つ、Ｏ−リング・シール２２０ａはリング１１６ａに接触して漏水を防止する。”濯ぎ”モードにおいて、第２セグメント１１４は第２管１７０の端部にてシール２２０ｂに対してシールされる。シール２２０ｂは、第２管１７０の放出端部内へと組み込まれた停止部に対して第２セグメント１１４をシールするワッシャであり、ピストル１１７および第２キャビティ１７３を接触させる。シール２２０ｂは第２管１７０内の第２キャビティ１７３を閉塞すると共に、第２管１７０から水が流出するのを防止する。トリガ１０３が引張移動されたときに縁部１０６ａおよび１０６ｂは第２セグメント１１４を後方へと引張移動すると該第２セグメント１１４はピン１２０を後方へと引張移動することで、第２管１７０から放出される噴射の形式を変化させる。第２セグメント１１４は第１セグメント１０７上を後方へと摺動することから、第２管１７０の第２キャビティ１７３の近傍のシール２２０ｂが移動される。すると、第２キャビティ１７３を水が流れ得る。第２セグメント１１４の端部上のピン１２０は水が第２管１７０を離脱するときに水を偏向させ、円錐形状から線状流に亙る噴射パターンを生成する。噴射パターンにおけるこの変化は、第２セグメント１１４を第２管１７０内へと更に後方に移動することで生ずる。このメカニズムは、当業界で公知である。
【００１９】
上記で論じた各構成要素が一体的に配置されたなら、突起棚部１６８の近傍にてハウジング・ユニット１６７の後部にはカバー１６５が嵌装される。カバー１６５は、後部１５９の頂部に対して一端にて接続された丸形頂部１６０を含み、該頂部１６０は突起棚部１６８の近傍に整列すべく構築かつ配置される。また突起棚部１６８の下側に嵌装されるべくカバー１６８ａが構築かつ配置される。後部１５９は概略的に扇形状であると共に、該後部１５９の底部の近傍にて該後部１５９をハウジング・ユニット１６７に締着する複数のノッチを含む。第１ノッチ１６２は第９ボア１４２および第１２ボア１８５に対応すると共に、上記各構成要素が一体的に配置されたなら、ネジ１９０ａなどの締着部材が上記各ボアに挿入されることでカバー１６５をハウジング・ユニット１６７に締着する。第２ノッチ１６３は管１９３のネジ孔１４５に対応し、此処にネジ部材１９１が挿入されることでカバー１６５はハウジング・ユニット１６７に締着され得る。第３ノッチ１６４は第１１ボア１４４および第１４ボア１８７に対応すると共に、上記各構成要素が一体的に配置されたなら、ネジ１９０ｂなどの締着部材が上記各ボアに挿入されることでカバー１６５をハウジング・ユニット１６７に締着する。丸形頂部１６０は、ガン１００の使用中にセレクタ１５６を所定位置に保持する隆起部１６１ｄおよびデテント１６１ｅを含む。
【００２０】
セレクタ１５６は、開孔１６１ａ、１６１ｂおよび１６１ｃ、隆起部１６１ｄならびにデテント１６１ｅを有する頂部１６０の上部に載置された頂部１５６ａを含む。開孔１６１ａ、１６１ｂおよび１６１ｃは押しボタン・バルブ１５４ａ、１５４ｂおよび１５４ｃが貫通延伸する開口であり、隆起部１６１ｄおよびデテント１６１ｅは、使用中にセレクタ１５６を所定位置に維持すべく該セレクタ１５６が回転される表面を提供する。セレクタ１５６は、後部１５９に対して載置された底部１５６ｂも含む。頂部１５６ａおよび底部１５６ｂは略直角に接続されると共に、概略的に矩形である。頂部１５６ａはカム２１２を含む下側表面を有し、該カムは隆起部１６１ｄおよびデテント１６１ｅならびにインディケータ１５７に対応することで、どの押しボタン・バルブが作動中であるかを示す。図９は、カム２１２を含む頂部１５６ａの下側表面を示す。底部１５６ｂは開孔１５８を有するが、該開孔を介してネジ１９１が載置されることでセレクタ１５６はネジ孔１４５に締着され得る。故にネジ孔１４５は、セレクタ１５６に対する枢動点である。セレクタ１５６は頂部１６０の上部に沿い回転されると共に適切な押しボタン・バルブを押し下げることでガン１００の所望モードが選択され、且つ、隆起部１６１ｄおよびデテント１６１ｅはセレクタ１５６を所定位置に維持する。頂部１５６ａの端部は、突起棚部１６８の底面に沿い且つカバー１６８ａの下側を摺動する。
【００２１】
好適実施例においてセレクタ１５６は、その頂部表面の下側にカム２１２を有する。カム２１２は、カバー１６５の隆起部１６１ｄおよびデテント１６１ｅに乗り上げる。セレクタ１５６がカバー１６５に沿い移動して上記各バルブのひとつを起動するとき、カム２１２は押しボタン１５５ａ、１５５ｂまたは１５５ｃのひとつに接触する。カム２１２は所望の押しボタンを強制的に押下げると共に、セレクタ１５６をその押しボタン上に固定する。これにより対応するバルブが開成されると共に、該バルブはセレクタ１５６が上記押しボタンから離間移動されるまで開成され続ける。セレクタ１５６は、一切のバルブの開成を防止すべく各押しボタン間に位置決めされ得る。これは、放出ガン１００の”オフ”位置である。放出ガン１００内には停止部が構築されることで、セレクタ１５６がその企図範囲から外れて進行するのが防止される。
【００２２】
ガン１００を使用する上では２つの選択肢が在る。ひとつの選択肢はガン１００ならびに物質容器２０５および２０６を壁部に取付けることであり、他の選択肢はカート２００と共にガン１００ならびに物質容器２０５および２０６を利用することである。壁部に取付けられた場合には約５０フィート以上の長寸の３路式押出成形ホース２１０が使用され得ると共に、該３路式押出成形ホースは水供給源に対し且つ上記物質容器に対して直接接続され得る。図６は、カート２００に取付けられたガン１００を示している。カート２００は、角隅部２０２ａ、２０２ｂ、２０２ｃおよび２０２ｄを備えた略矩形状の基部２０１を含む。角隅部２０２ａ、２０２ｂ、２０２ｃおよび２０２ｄに対しては車輪部材２０３ａ、２０３ｂ、２０３ｃおよび２０３ｄが作用的に接続され、カート２００は種々の箇所へと容易に搬送され得る。物質容器２０５および２０６、ホース・リール２０４ならびにガン１００の重量によりカート２００が転倒するのを防止すべく、カート２００は底部から引張移動され得る。
【００２３】
物質容器２０５および２０６の近傍にて３路式押出成形ホース２１０に対しては、水ホース２０９および延長ホース２０９ａが作用的に接続される。水ホース２０９および３路式押出成形ホース２１０は、業界公知のホース・コネクタに対して標準的なホースを用いて接続される。３路式押出成形ホース２１０は、第１チャネル２１０ａ、第２チャネル２１０ｂおよび第３チャネル２１０ｃを含む。逆止弁を含むチャネル２１０ｂおよび２１０ｃは、物質容器２０５および２０６の各々に含まれた物質から延在すると共に、ホース取付部品Ｋなどの継手を含む延長ホース２０９ａと合流することで、３路式押出成形ホース２１０を形成する。物質容器２０５および２０６は開放頂部を備えた略矩形状のボックスであると共にナットおよびボルトを用いてレール２１１に取付けられ、３路式押出成形ホース２１０は一端にてはレール２１１に対して且つ他端にてはガン１００に対して作用的に接続される。物質容器２０５および２０６内には、物質を収容する物質用可撓バッグ２０５ａおよび２０６ａが載置される。尚、物質を収容すべく紙パック（ｃａｒｔｏｎ）、ボトル、陶製容器（ｊｕｇ）および当業界で公知の他の容器が使用され得ることも理解される。その場合に３路式押出成形ホース２１０のチャネル２１０ｂおよび２１０ｃはバッグ２０５ａおよび２０６ａに接続されるが、これは当業界で公知である。物質用ホース２２２ｂおよび２２２ｃは夫々逆目取付部品２２１ｂおよび２２１ｃを用いて３路式押出成形ホース２１０を物質用可撓バッグ２０５ａおよび２０６ａに相互接続する。この概略図は図７に示されると共に、分解図は図８に示される。用いられ得るひとつの方法は、ホース取付部品Ｋをレール２１１に取付けることである。
【００２４】
レール２１１は基部２０１の中央部の近傍にて該基部２０１に作用的に接続されると共に上方に延在することで、リール支持部材２０７に対する支持部を提供する。ホース・リール２０４は、基部２０１の中央部の近傍にてナットおよびボルトによりリール支持部材２０７を介してレール２１１に作用的に接続される。ホース・リール２０４およびリール支持部材２０７は、略々業界公知の形式である。ホース２０９はホース・リール２０４に対して作用的に接続されると共に、延長ホース２０９ａはホース２０９をホース取付部品Ｋに対して接続する。次に、３路式押出成形ホース２１０はホース取付部品Ｋの他端に接続される。これらのホースの接続法は、当業界で公知である。物質容器２０５および２０６の重量はホース・リール２０４の重量により平衡化されることで、カート２００は安定して平衡化される。レール２１１はまた三角形状ガン支持部２０８が取付けられ得る表面も提供することから、ガン１００は使用されないときにカート２００上に格納される。ガン１００を格納するには、該ガン１００の放出ノズル部分がガン支持部２０８の中央部に挿入される。カート２００に取付けられたガン１００を利用する上で必要なことの全ては、ホース２０９を標準的な水道蛇口に接続すると共に物質を上記各物質容器に取付けることである。而して上述の如く、セレクタ１５６が各バルブ間に位置されたときに放出／濯ぎガン１００は作動停止される。
【００２５】
本発明は、ガン１００の端部にて希釈物質を放出かつ計量すべく設計される。全ての制御部はホース部材２１０に取付けられた放出／濯ぎガン１００上に取付けられると共に、これらの制御部は、用いられる物質を調節し且つ濯ぎ位置とされる間に用いられる噴射の形式を調節する。これにより、一方では放出／濯ぎガン１００の調節可能な操作が許容され、他方では調節可能に操作される濯ぎ機構もガン１００内に構築される。これにより操作者は、ひとつの物質から別の物質へと又は物質なしでの水噴射へと切換える上で、遠隔配置された制御デバイスまで戻る必要が無くなる。故に本発明によれば、適切なノズルの選択および適切な放出機構の設置は問題とはならない。
【００２６】
ホース部材２１０は、該部材の丈に沿い延在する２本の物質チャネル２１０ｂおよび２１０ｃと１本の水チャネル２１０ａとを有する。故に、上記吐出用ホースを汚さずにひとつの位置から別の位置へと即時切換えが可能である、と言うのも、各洗浄段階の間においてホース部材２１０内に残る残留溶液の可能性が排除されるからである。これは、閉鎖物質システムと称される。ガン１００は水供給源に対して庭園用ホース２０９により迅速に容易に接続されることから、ガン１００を作動させる上で必要な配管は最小限であると共に、必要な機器設置が最小限なので機器設置コストが削減される。故に上記システムをサポートする上で必要とされる現場修理保守は最小限であり、これによってもコストが削減される。本発明はまた、配管規則により承認され得るべく逆流防止が確認された吸上げ防止デバイスも包含すると共に、該デバイスを利用する上で電流は必要とされない。
【００２７】
好適実施例の放出／濯ぎガン１００の作動時に、上記ホース部材の上記第１チャネルは水供給源に作用的に接続され、上記ホース部材の上記第２チャネルは物質供給源に作用的に接続され、且つ、上記ホース部材の上記第３チャネルは別の物質供給源に作用的に接続される。水は、上記第１チャネルを通り水取入口１０２ａへと流れてから、ハウジング・ユニット１６７の水吐出口１８６から流出する。水が水吐出口１８６から流出したなら、この水はハウジング１２２の第１０ボア１４３に流入する。物質選択のために複数の押しボタン・バルブが利用されると共に、特定のボタンが押圧されたときには開口が圧縮されて上記バルブを通しての通過が許容される。
【００２８】
もし押しボタン・バルブ１５４ａのボタン１５５ａが押圧されたなら、水はハウジング１２２の第４ボア１３２に流入して第１ボア１２６から流出する。その場合、水はボア１５１ａに流入することで物質を取入ポート１４９ａに流入させ、且つ、希釈物質はボア１５３ａから第１キャビティ１７２へと流入する。その場合、希釈物質は第１管１６９から放出されると共に、噴射ノズル１９５は第１管１６９の端部に作用的に接続されることで該第１管１６９から希釈物質の扇形状噴射を生成する。
【００２９】
もし押しボタン・バルブ１５４ｂのボタン１５５ｂが押圧されたなら、水はハウジング１２２の第５ボア１３３に流入して第２ボア１２７から流出する。その場合、水は第１セグメント１０７のボア１１０を通ると共に第２セグメント１１４のボア１１９を通り、ピストル１１７の開口１１７ａから流出する。その場合に水は第２管１７０から放出され、且つ、トリガ１０３により制御されるピストル１１７のピン１２０は、第２管１７０から水が噴射される様式を決定する。故に、噴射の形式を変更する上で別体のセレクタは必要とされない。噴射の形式を変更する上記トリガ機構は、当業界で公知である。
【００３０】
もし押しボタン・バルブ１５４ｃのボタン１５５ｃが押圧されたなら、水はハウジング１２２の第６ボア１３４に流入して第３ボア１２８から流出する。その場合、水はボア１５１ｂに流入することで物質を取入ポート１４９ｂに流入させ、且つ、希釈物質はボア１５３ｂから第３キャビティ１７４へと流入する。その場合、希釈物質は第３管１７１から放出されると共に、噴射ノズル１９４および網体２１３は第３管１７１の端部に作用的に接続されることで該第３管１７１から放出される物質の泡体を生成する。
【００３１】
上述の如く好適実施例のガン１００において、ひとつの物質は標準的な発泡手段を介して放出される泡状脱脂剤物質であり、且つ、第２物質は標準的な扇噴射ノズルを介して放出される殺菌噴霧である。また上述された如く、トリガ１０３により操作される濯ぎ水噴射は可変である。上記泡状脱脂剤噴射は約６フィート長さおよび２〜３フィート幅の範囲を有し、網体１８０が用いられたときに該網体１８０は流れを約１／２インチ幅まで集束させる。上記殺菌噴霧は、６フィート長さおよび３〜４フィート幅の範囲を有する。可変な濯ぎ噴射は３フィート乃至１０フィートの範囲を有すると共に、トリガ１０３により制御される如くパターンおよび圧力が可変である。
【００３２】
上記好適実施例は、２つの物質および濯ぎ水の各々に対する個別の水バルブを含む。斯かる３個の水バルブは相互に分岐することで、水は単一の水供給源から供給され得る。これらの水バルブの下流ではアスピレータが利用されることで、ベンチュリの原理により物質放出に影響を与える。
【００３３】
トリガ１０３は第２管１７０から放出される濯ぎ水の噴射の形式を制御するが、トリガ１０３の使用は片手で行われ得る。濯ぎ水は絞りデバイスに流入し、その場合に水の絞りはガン１００上のトリガ１０３により制御される。トリガ１０３がハンドル１０１に向けて引張移動されたとき、縁部１０６ａおよび１０６ｂは第２セグメント１１４に接触して該第２セグメントを第２管１７０から離間すべく引張移動することから、ピストル１１７を内方に引張移動することにより、該第２管から流れる水の絞りに対して影響を与える。水のみの放出モードは、濯ぎトリガ１０３のスプリング力を減少すべく且つ全ての圧力にて上記機構の遮断を許容すべく、水圧平衡式濯ぎ機構を必要とする。而して濯ぎ水はトリガ１０３を用いて絞られ得るが、物質と水とによる希釈物質混合物は同様には絞られない、と言うのも、これは制限なしで全流量にて放出されるからである。
【００３４】
本発明は、多くの二重物質システム（すなわち洗浄剤／香料および洗浄剤／殺菌剤）に適すると共に、食品サービス業における加工装置、床部、壁部および作業台面などの種々の用具での使用に適している。本発明は多くの多重物質システムに利用され得ると共に食品サービス業の用具に対する使用に限定されないことは理解される。本発明はひとつの物質および水と共に、又は、多数の物質および水と共に利用され得る。ガン１００は、使用されるべき所望数の物質および水に適応するために更に少ないもしくは更に多い放出管および他の構成要素を包含すべく容易に改変され得ることは理解される。ガン１００は、矩形タイルもしくはコンクリート床などに当該機構が継続的に落下されるなどの酷使的な環境に耐えるべく堅牢である。同様に、ガン１００は比較的に小寸であると共に引張移動もしくは搬送されるときに軽量であり、且つ、カート・ユニット２００上であれば容易に移動可能である。これに加え、ガン１００は自明なもしくは最小限の操作指示を有することから、使用が容易である。これは部分的に、必要な部品および構成要素の全てがガン１００内に取付けられ又は完備されるという事実に起因する。
【００３５】
同様に、カート２００および３路式押出成形供給ホース２１０の必要性を排除すべく用いられ得る物質供給源の他の形態も在る。たとえば、放出／濯ぎガン１００に対して直接的に取付けられる小寸の物質収容カプセルが使用され得る。このカプセルは、ガン１００の重量に悪影響しない様に十分に小寸であるが１種ないし２種の洗浄用途に対する物質を提供するに十分なほど大寸である。上記カプセルが空になったとき、該カプセルは容易に補充かつ交換されるか廃棄され得る。これらのカプセルは、ガン１００において誤った物質が放出されるのを防止すべく、形状的除外手段もしくは一定の他の手段を有する。この形態は、３路式押出成形供給ホース２１０またはカート２００を必要としない。それは水ホースを必要とするのみである。
【００３６】
上記の詳細、各例および情報は本発明の構成を製造して使用するための完全な記述を提供する。本発明の精神および有効範囲から逸脱せずに本発明の多くの実施例が実現され得ることから、本発明は添付の各請求項に帰着する。
【図面の簡単な説明】
【図１】前方から見た放出／濯ぎガンの分解斜視図である。
【図２】後方から見た放出／濯ぎガンの分解斜視図である。
【図３】後方から見た図１の放出／濯ぎガンの斜視図である。
【図４】図１の放出／濯ぎガンの前面図である。
【図５】前方から見た図１の放出／濯ぎガンの斜視図である。
【図６】カートに取付けられた図１の放出／濯ぎガンの斜視図である。
【図７】押出成形ホースに接続されたホース部材の概略図である。
【図８】図６における押出成形ホースおよび取付部品の分解図である。
【図９】図１における放出／濯ぎガンのセレクタの底面図である。
【国際公開パンフレット】
2004503362.tif 000003
2004503362.tif 000004
2004503362.tif 000005
2004503362.tif 000006
2004503362.tif 000007
2004503362.tif 000008
2004503362.tif 000009
2004503362.tif 000010
2004503362.tif 000011
2004503362.tif 000012
2004503362.tif 000013
2004503362.tif 000014
2004503362.tif 000015
2004503362.tif 000016
2004503362.tif 000017
2004503362.tif 000018
2004503362.tif 000019
2004503362.tif 000020
2004503362.tif 000021
2004503362.tif 000022
2004503362.tif 000023
2004503362.tif 000024
2004503362.tif 000025
2004503362.tif 000026
2004503362.tif 000027
2004503362.tif 000028
2004503362.tif 000029
2004503362.tif 000030
2004503362.tif 000031
2004503362.tif 000032
2004503362.tif 000033
2004503362.tif 000034
2004503362.tif 000035
2004503362.tif 000036
2004503362.tif 000037
2004503362.tif 000038
2004503362.tif 000039
【国際調査報告】
2004503362.tif 000040
2004503362.tif 000041
2004503362.tif 000042